(57)【要約】【課題】磁力テープへの印字を可能とするテープ印字装置及びその印字用テープカセットを提供する。【解決手段】カセット２５はプリンタ１０のカセット装着部１５に装着される。テープ２６は、ガイド板１８に案内され、ヘッド１６とプラテン１７の対向部で印字され、カッタ２２により裁断されて、印字済みテープ２６′が図外右方の排出口から機外へ排出される。カセット２５、プリンタ１０、ガイド板１８、プラテン１７及びヘッド１６のブラケットは各々非磁性体で形成され、カッタ２２はセラミックで形成されている。つまり、搬送、印字、裁断に直接係る部材を全て非磁性体で構成して、テープ２６が自己の磁力により各部材に吸着することを防止する。また、テープ２６は、幅方向の一端部が非着磁領域２６−２ａとされ、例えばホワイトボード等に張り付けた後にこれを剥がすとき、幅方向の端部が指先でつまみ易くなっている。【選択図】      図２
2006035864.tif 000002
【特許請求の範囲】
【請求項１】
印字形成されるべく保持リールに巻回された長尺状の被印字媒体である磁力テープを収容した印字用テープカセットと、
該印字用テープカセットを着脱自在に装着する装着部と、
前記磁力テープを前記印字用テープカセットから搬送しつつ前記磁力テープの一面側から確認できる文字・記号等を印字し所定長に切断して印字の施された磁力テープを作成可能な印字手段と、
を備え、
前記印字手段は非磁性材料からなり、
前記磁力テープは幅方向の少なくとも一端部に非着磁領域が形成されてなる
ことを特徴とするテープ印字装置。
【請求項２】
前記印字手段は、本テープ印字装置のテープ搬送ローラ、匡体のテープ搬送ガイド部、及びカッタ部材を含むことを特徴とする請求項１記載のテープ印字装置。
【請求項３】
前記印字手段は、サーマルヘッドを更に含むことを特徴とする請求項１記載のテープ印字装置。
【請求項４】
前記印字用テープカセットは、印字用のインクリボンを更に備え、該インクリボンに形成されたインクが非磁性体インクであることを特徴とする請求項１記載のテープ印字装置。
【請求項５】
印字形成されるべく保持リールに巻回された長尺状の被印字媒体である磁力テープを収容した印字用テープカセットと、
該印字用テープカセットを着脱自在に装着する装着部と、
前記磁力テープを前記印字用テープカセットから搬送しつつ前記磁力テープの一面側から確認できる文字・記号等を印字する印字手段と、
前記印字の施された磁力テープを所定長に切断可能なカッタ部材と、
を備え、
前記カッタ部材は非磁性材料からなり、
前記磁力テープは幅方向の少なくとも一端部に非着磁領域が形成されてなる
ことを特徴とするテープ印字装置。
【請求項６】
前記印字用テープカセットは、印字用のインクリボンを更に備え、該インクリボンに形成されたインクが非磁性体インクであることを特徴とする請求項５記載のテープ印字装置。
【請求項７】
印字形成されるべく保持リールに巻回された長尺状の被印字媒体である磁力テープと印字用のインクリボンとを収容した印字用テープカセットにおいて、
前記インクリボンは非磁性体インクにより形成されてなり、
前記磁力テープは幅方向の少なくとも一端部に非着磁領域が形成されてなる
ことを特徴とする印字用テープカセット。
【発明の詳細な説明】
【技術分野】
【０００１】
本発明は、磁力テープに印字を行うテープ印字装置及びその印字用テープカセットに関する。
【背景技術】
【０００２】
近年、テーププリンタ又はラベルプリンタと通称される事務用機器（又は家庭用文具）が市販され広く利用されている。
【０００３】
図８は、そのようなテーププリンタの内部構成を模式的に示している。このテーププリンタ１は、同図に示すように、長尺のテープ状用紙２をプラテンロール３とサーマルヘッド４とが圧接する印字部に繰り出すと共に、インクリボン５を供給ロール６から巻き取りロール７に巻き取りながら移動させつつ、サーマルヘッド４により、テープ状用紙２に例えば「テーププリンタ」の如く印字する。これを、カッタ８ａ、８ｂによって所定の長さに切断して、図の丸印Ａ内に示すようなテープ（又はラベル）９を作成する。
【０００４】
上記のテープ状用紙２は、図の拡大円内のテープ９に示すように、印字層９ａに接着層９ｂを介して剥離紙９ｃが積層された状態のテープとして供給され、所望の印字を施されて所定の長さに切り出される。このテープ９の剥離紙９ｃを剥がして取り除き、接着層９ｂにより所望の対象物に固着させる。
【０００５】
従来より、このような印字テープは、一旦物に貼り付けたならば強固に接着して容易に剥がすことはできない。すなわち、これを剥がして再度貼り直すようには設計されていない。
【０００６】
また、近年では、シート状のマグネット材が知られている。このマグネットシートは、適宜の大きさに切り取ったものに例えばサインペン等で適宜の内容を記入し、これをホワイトボード（鉄板）やその他の磁性体に張り付けて使用する。そこで、このようなマグネットシートをテープ印字装置により印字して使用する提案がなされている（例えば、特許文献１参照）。
【特許文献１】実開平３−６４７４３
【発明の開示】
【発明が解決しようとする課題】
【０００７】
しかしながら、当該公報を精査するに、近年実用化されているテープ印字装置に具体的に適用する点については全く追求がなされておらず、また、それについて何らの示唆も表明されていない。
【０００８】
一般に、市販のテープ印字装置では、テープ本体をカセット内に収納して印字に用いる形態をとっており、また、全体として携帯可能な小型の装置となっている。このため、テープの搬送経路も小型化のため複雑に構成されており、したがって、上記公報に記載された技術思想を、現今広く市販され使用されている型のテープ印字装置に単に取り入れるだけでは、直ちに実用化できるという訳のものではない。
【０００９】
従来のテープ印字装置は、通常、テープ本体が厚さの極薄な樹脂フィルムであり、剥離紙を含めても全体が極めて薄く出来ている。したがって、これにマグネットテープを適用するには、テープの厚さや磁力について充分に配慮する必要がある。
【００１０】
すなわち、市販のテープ印字装置にマグネットテープを適用して実用化のための試験を行ってみると、マグネットの性質上、テープの搬送路中で、例えば装置のフレーム（鉄板）に接触すると円滑なテープ搬送が阻害されるという問題が発生する。また、この種の装置において、テープに印字を行った後に所定のサイズにテープを裁断するためにカッタを装備するのが一般的であるが、従来の樹脂や繊維質の用紙を切断することだけを前提として構成されているカッタ装置では、テープが剪断されずカッタに挟まったり或は張り付く等の不具合が発生した。
【００１１】
更に、この種の印字装置では印字のために熱転写方式を採用するのが一般的であるが、従来のインクリボンのインクはマグネットテープに印字することを想定していないため、マグネットテープに印字すると印字された文字や画像がぼけてしまうという新たな問題が発生した。
【００１２】
インクリボンは、一般に、コンデンサ紙、グラシン紙、又はポリエステルやポリイミドなどの樹脂フィルム等を基体（ベースフィルム）として、この上にインク層を塗布して形成される。インク層は、ワックス類あるいは樹脂類に顔料等の着色剤が混入されて成るが、被印字媒体へ転写される際、熱転写方式では特に発現する現象であるが、表面に照りを発生する。この照りを抑えるためには、インク層に照りを抑止する添加剤を混入したものと、光沢コントロール層をベースフィルムとインク層間に配置したものとがある。
【００１３】
インク層に着色剤として混入される顔料は、例えば黒インクの場合であれば、カーボンブラックや酸化鉄系の顔料が用いられることが多い。また、光沢コントロール層にも、艶消し効果のために酸化鉄系の顔料が配合されることが多い（特開昭６１−８４２８７）。
【００１４】
上記実用化のための試験において、マグネットテープに印字した際に発生する上述した印字の「ぼやけ」は、インク層や光沢コントロール層に含まれている酸化鉄系の顔料とマグネットテープの磁力による作用によって発現するものであることが発見された。
【００１５】
本発明の課題は、上記従来の実情に鑑み、マグネットテープへの印字を支障なく実現するテープ印字装置及びその印字用テープカセットを提供することである。
【課題を解決するための手段】
【００１６】
以下に、本発明のテープ印字装置及びその印字用テープカセットの構成を述べる。
【００１７】
先ず、請求項１記載の発明のテープ印字装置は、印字形成されるべく保持リールに巻回された長尺状の被印字媒体である磁力テープを収容した印字用テープカセットと、該印字用テープカセットを着脱自在に装着する装着部と、上記磁力テープを上記印字用テープカセットから搬送しつつ上記磁力テープの一面側から確認できる文字・記号等を印字し所定長に切断して印字の施された磁力テープを作成可能な印字手段と、を備え、上記印字手段は非磁性材料からなり、上記磁力テープは幅方向の少なくとも一端部に非着磁領域が形成されてなるように構成される。
【００１８】
上記印字手段は、例えば請求項２記載のように、本テープ印字装置のテープ搬送ローラ、匡体のテープ搬送ガイド部、及びカッタ部材を含んで構成され、また、例えば請求項３記載のように、サーマルヘッドを更に含んで構成される。
【００１９】
また、上記印字用テープカセットは、例えば請求項４記載のように、印字用のインクリボンを更に備え、該インクリボンに形成されたインクが非磁性体インクであるように構成される。
【００２０】
次に、請求項５記載の発明のテープ印字装置は、印字形成されるべく保持リールに巻回された長尺状の被印字媒体である磁力テープを収容した印字用テープカセットと、該印字用テープカセットを着脱自在に装着する装着部と、上記磁力テープを上記印字用テープカセットから搬送しつつ上記磁力テープの一面側から確認できる文字・記号等を印字する印字手段と、上記印字の施された磁力テープを所定長に切断可能なカッタ部材と、を備え、上記カッタ部材は非磁性材料からなり、上記磁力テープは幅方向の少なくとも一端部に非着磁領域が形成されてなるように構成される。
【００２１】
上記印字用テープカセットは、例えば請求項６記載のように、印字用のインクリボンを更に備え、該インクリボンに形成されたインクが非磁性体インクであるように構成される。
【００２２】
更に、請求項７記載の発明の印字用テープカセットは、印字形成されるべく保持リールに巻回された長尺状の被印字媒体である磁力テープと印字用のインクリボンとを収容した印字用テープカセットにおいて、上記インクリボンは非磁性体インクにより形成されてなり、上記磁力テープは幅方向の少なくとも一端部に非着磁領域が形成されてなるように構成される。
【発明の効果】
【００２３】
本発明によれば、搬送、印字、及び裁断に直接係る部材を非磁性体で構成するので、磁性体に吸着する強力な磁力を有する磁力印字テープが部材に付着するような支障を起こすことなく搬送、印字、及び裁断を行うことができ、したがって、磁力印字テープを用いた印字を現実に行うことができるという特殊な方式のテープ印字装置を提供することが可能となる。また、磁力印字テープの幅方向の少なくとも一端部を非着磁領域として形成しているので、印字テープを例えばホワイトボード等に張り付けた後にこれを剥がすとき、幅方向の端部が指先でつまみ易くなって便利である。
【発明を実施するための最良の形態】
【００２４】
以下、本発明の実施の形態を図面を参照しながら説明する。
図１は、一実施の形態におけるテーププリンタ（印字装置）の斜視図である。同図には、上方に、このテーププリンタに装着されて用いられるテープカセットも示している。同図に示すように、テーププリンタ１０は匡体１１の上面下方にキー入力部１２を備え、このキー入力部１２には、カーソルキー、書式設定キー、印刷キー、取消しキー、機能キー、印字倍率キー、大文字小文字選択キー、シフトキー、単漢字キー、変換キー、無変換キー、実行キー、かな入力と英数字入力を兼用する文字入力キー等からなる複数の操作キー１３が配設されている。
【００２５】
また、キー入力部１２の左上には液晶表示装置からなる表示部１４が配設され、その右方に、テープカセット収納部１５が形成されている。尚、同図には、テープカセット収納部１５を、内部が見えるように蓋部材を取り除いて示している。このテープカセット収納部１５には、サーマルヘッド１６が上下に回動自在に配設され、このサーマルヘッド１６に対向してプラテンローラ１７がサーマルヘッド１６方向に付勢されて配設されている。そして、サーマルヘッド１６を取り巻くようにガイド板１８、テープリール支持ピン１９、インクリボン巻き取り駆動軸２１、テープカッタ２２（２２ａ、２２ｂ）が配設されている。テープカッタ２２の右方にはテープ排出口２３が形成されている。
【００２６】
上記のガイド板１８、サーマルヘッド１６、プラテンローラ１７、テープカッタ２２等は、全体として、このテーププリンタ１０における印字部を形成している。
【００２７】
上記のテープカセット収納部１５に、テープカセット２５が収納されると、磁力印字テープ２６を巻着するテープカセット２５内のリール孔２７にテープリール支持ピン１９が係合し、同じくテープカセット２５内のインクリボン巻き取りリール孔２８に、インクリボン巻き取り駆動軸２１が係合する。
【００２８】
このとき、磁力印字テープ２６の先端を指でつまんで、テープ排出口２３のスリットに挿入し、印字箇所をサーマルヘッド１６とプラテンローラ１７とが対向する間隙に挿入して装着初期状態を設定する。ここで磁力印字テープ２６に許容される厚さとしては、好ましくは５０〜１００μｍ、厚くても１５０μｍまでである。したがって、磁力印字テープ２６には腰（剛性）が無い。また、腰が有るようではリールに巻回して保持することができない。このように腰が無いために磁力印字テープ２６が配置される周囲の部材に磁性体で構成されているものがあると、その磁性体部材に磁力印字テープ２６が吸着して扱いずらいという問題が発生し易い。また、印字中にサーマルヘッド１６とプラテンローラ１７により加圧され挟持されてテープ排出口２３へ搬送されていくとき、サーマルヘッド１６とプラテンローラ１７による挟持部より下流側に磁性体部材があると、この場合も磁力印字テープ２６の吸着が発生して不具合の原因となる虞がある。しかしながら、本実施の形態においては、このような問題は全て解消される。
【００２９】
一般には、テープカセット本体は、樹脂製であって非磁性体であり、テーププリンタのプラテンローラは、スポンジ状樹脂体からなる非磁性体で形成されている。また、サーマルヘッド（発熱体アレイとこれを先端に配設したブラケット）のブラケットは硬質樹脂製の非磁性体である。
【００３０】
本実施の形態においては、そのように、通常に非磁性体で構成されるテープカセット２５本体や、プラテンローラ１７、サーマルヘッド１６のブラケットばかりでなく、ガイド板１８、テープカッタ２２をも、非磁性体で形成する。
【００３１】
すなわち、一般には鋼材からなるフレームと一体なガイド板１８を、図１に示すテーププリンタ１０では、例えばステンレス、アルミ合金、硬質樹脂等の非磁性体で形成する。これにより、磁力印字テープ２６が磁気力によりガイド板１８に吸着して発生する不具合を防止する。
【００３２】
また、テープカッタ２２には、１８−８ステンレス（クロム１９％、ニッケル８％）の他、アルミナ、ジルコニア、炭化珪素、窒化珪素、サイアロン等を焼結して作成されたセラミック刃を採用すると好適である。このセラミック製のテープカッタ２２は、カッター刃への磁力印字テープの付着を防止する。すなわち、印字済みの磁力印字テープ２６を裁断した際に、特にテープカッタ２２の可動刃２２ａ側に磁力印字テープ２６が絡み付く傾向があることからくる不具合を防止する。また、セラミック刃は耐久性にも優れている。
【００３３】
図２(a) は、上記の磁力印字テープ２６を収容した上記テープカセット２５の外観平面図を示し、図２(b) は、そのテープカセット２５が上記のテーププリンタ１０のカセット収納部１５に装着された状態における断面図を示している。同図(a)，(b)に示すように、テープカセット２５には、底部の所定位置（図の例では中央）に、磁力テープ用のカセットであることを示すカセット種別認識用の溝３６が形成されている。同図(b) に示すように、テープカセット２５がテーププリンタ１０のテープカセット収納部１５に装着されると、テーププリンタ１０の不図示のセンサが、カセット溝３６を検知して、磁力テープ用のカセットが装着されたことを認識する。
【００３４】
このテープカセット２５は、テープリール３１に磁力印字テープ２６を巻着し、インクリボンリール３２には非磁性のインク層を形成されたインクリボン３３を巻着している。テープカセット２５の上部に形成されている凹部３４の開口部には、磁力印字テープ２６とインクリボン３３が重ねて差し渡され、それらの下方にテーププリンタ１０のサーマルヘッド１６が挿通されて配置される。このサーマルヘッド１６に対向し、磁力印字テープ２６及びインクリボン３３をサーマルヘッド１６との間に挟んで、プラテンローラ１７が配置される。
【００３５】
上記のインクリボン３３においては、インク及びバインダーに磁性金属粉等を混入することを除外している。すなわち、これまで広く使用されていたインクリボンは照り防止のために酸化鉄（磁性体）系の顔料を用いることが一般的になっているが、本実施の形態においては、印字のぼやけの問題を解消するため、非磁性化を優先して、そのような磁性体系の顔料を削除して着色剤の混入を行っている。また、本実施の形態における印字テープの使用方法、例えばホワイトボードへ張り付ける等の使用方法からみて、印字面に多少の照りが出現していても視覚上では問題がなく、むしろ艶消し印字のものよりも表示性が高いことが試験上経験されている。もちろん、必要とあれば、酸化鉄系の顔料に代えた染料や、非磁性の添加剤等を加えて艶消しを行うようにすればよい。
【００３６】
このように構成される磁力印字テープ２６を収容したテープカセット２５が、図２(b) に示すようにテーププリンタ１０に装着されて、印字の際は、サーマルヘッド１６が上方に回動して、その先端に配設されている発熱体がインクリボン３３及び磁力印字テープ２６を介してプラテンローラ１７に圧接し、インクリボン３３のインクを磁力印字テープ２６の印字面に熱転写する。インクリボン３３のインク転写済み部分３３′は、インクリボン巻き取りリール３５に巻き取られ、これによってインクリボン３３の未使用部分がインクリボンリール３２から引き出されて印字部に供給される。
【００３７】
一方、磁力印字テープ２６の印字済み部分２６′は、プラテンローラ１７の反時計回り方向への回転により、テープカッタ２２を通過してテープ排出口２３（図１参照）から外部に排出される。テープ排出口２３から適宜の長さに繰り出された印字済み部分２６′は、テープカッタ２２（２２ａ、２２ｂ）により切り落とされる。
【００３８】
図３は、上記のテープカセット２５に収容されている磁力印字テープ２６及びテープリール３１部分を取り出して示す斜視図である。同図に示すように、磁力印字テープ２６は被印字面体２６−１と磁性体層２６−２から成る。被印字面体２６−１は例えばＰＥＴ樹脂等のフィルムからなり、磁性体層２６−２は例えば天然ゴム、ネオプレン、イソプレン、ＮＢＲ（ニトルブタジェンゴム）、ＳＢＲ（スチレンブタジェンゴム）等のゴム系高分子中に、マグネタイト、フェライト、酸化コバルト等の強磁性体粉末を混入させてなる。これを接着剤により被印字面体２６−１の裏面に纏着させ、強力磁場中で磁化することにより磁力印字テープ２６が完成する。
【００３９】
尚、磁性体層２６−２自体を予めシート状に形成して、磁力印字テープとして切り出し、これを接着剤により被印字面体２６−１の裏面に貼着させてもい。例えば、樹脂系の磁力テープとしては、ナイロン、ポリプロピレン、ポリエチレエン、塩化ポリエチレン、酢酸ビニル等の熱可塑性樹脂を結着剤とした複合樹脂マグネット材料を用いて構成できる。すなわち、これらを圧延ローラ等により加熱圧延し、これに含有される強磁性体粉末の磁化方向をシート面に対して直角な方向に揃えて配合することにより磁力テープを形成する。上記強力磁性体粉末としては、Ｂａフェライト、Ｓｒフェライト等のフェライト粉末、アルニコ磁石（Ｆｅ−Ｃｒ−Ｃｏ）系磁石粉末、希土類コバルト磁石粉末、希土類鉄磁石粉末等の公知のものを用いることができる。
【００４０】
より具体的には、例えば２００°Ｃで３０〜５０ポイズの溶融粘度を有するポリアミド樹脂とバリウムフェライト粉末の８０〜９０重量％及びステアリン酸亜鉛やポリエチレンワックスを０．１〜１重量％添加したものを、１５０〜１８０°Ｃに加温して混練し、厚さ０．１〜０．５に圧延成形し、圧延後直ちに着磁器により１００００エルステッドの配向磁場を印加し、これを冷却して磁力シートを得ることができる。この磁力シートの表面磁束密度としては、７００〜１６００Ｇ（ガウス）が得られ、いずれも本発明の印字用磁力テープとして使用することができる。
【００４１】
磁力印字テープの着磁は、全面にわたって施しても良いが、取り扱いのし易さから例えば縁部分には磁力を持たせない構成とすることが好ましい。本実施の形態においては幅方向の少なくとも一端部に非着磁領域を形成している。
【００４２】
図４は、そのように形成された本実施の形態としての磁力印字テープを裏面（着磁面：磁性体層２６−２面）から見た部分図である。同図に示すように磁力印字テープ２６は、テープの幅方向両端（非着磁領域２６−２ａ）を除く幅Ｌ部分を着磁領域として形成している。この幅Ｌの着磁領域の形成は、強力磁場において幅Ｌの領域のみ磁化する方法でも形成でき、また、磁性体含有高分子を予めベースフィルム部分に対して幅Ｌの部分にだけ積層する方法によっても形成できる。また、非着磁領域２６−２ａをテープの幅方向両端とせず片方の端部だけとしてもよい。いずれの場合も、これによって、印字テープを例えばホワイトボード等に張り付けた後にこれを剥がすとき、幅方向の端部が指先でつまみ易くなって便利である。
【００４３】
尚、類似のテープとしては、ビデオやオーデオの磁気テープが知られるが、これらは本実施の形態において用いられる磁力印字テープとは、磁化量において格段の相違があり、本実施の形態における磁力印字テープのように周囲の磁性体に張り付くほどの磁力はなく、したがって、これらのテープを念頭に置いたのでは、搬送、印字、裁断に直接係る周辺部材を高価な非磁性体で構成するという発想と結び付く余地は全くない。
【００４４】
図５(a) は、図１及び図２(a)，(b)に示した各部を駆動する駆動機構を示す図であり、同図(b) は側面図、同図(c) は上面図である。これらの図に示す駆動機構は、図１に示した匡体１１のテープカセット収納部１５の底部下方及びその周囲に配置されている。また、図５(a)，(b)，(c) には、駆動機構との位置関係を示すために、図１に示したサーマルヘッド１６、プラテンローラ１７、テープリール支持ピン１９及びインクリボン巻き取り駆動軸２１を示している。
【００４５】
上記のサーマルヘッド１６は、その後端部を、略鉛直に配置されたヘッドアーム４１の上端を回動自在に支持する支点軸４２に支持されてヘッドアーム４１に係止している。ヘッドアーム４１には、長手方向に沿って長溝穴４３が穿設され、この長溝穴４３に不図示のカムのピンが滑動自在に嵌入している。このヘッドアーム４１の下端と本体フレーム間に引きバネ４４が介装されヘッドアーム４１を反時計回り方向に付勢している。また、他方ではヘッドアーム４１の上端近傍と本体フレーム間に他の引きバネ４５が介装されて、ヘッドアーム４１を時計回り方向に付勢している。
【００４６】
不図示のカムが駆動され長溝穴４３に嵌入しているピンが図の左方に移動すれば、ヘッドアーム４１が、つまりサーマルヘッド１６が、支点軸４２を支点として時計回り方向に回動して非印字位置に定位し、一方、不図示のカムピンが図の右方に移動すれば、ヘッドアーム４１、つまりサーマルヘッド１６が、支点軸４２を支点として反時計回り方向に回動して、その先端の印字部（発熱体アレイ）が、テープ２６とインクリボン３３（図２(ｂ) 参照）を介してプラテンローラ１７に圧接する。
【００４７】
また、上記のテープリール支持ピン１９は、不図示の駆動系に連結するテープ巻戻し用ギア４６に係合して回転駆動され、インクリボン巻き取り駆動軸２１は、これも不図示の駆動系に連結しているインクリボン巻取り用ギア４７に係合して回転駆動される。そして、上記のプラテンローラ１７は、プラテンギア４８を備え、このプラテンギア４８が変速ギア４９の小径ギアに噛合している。変速ギア４９の大径ギアはテープ送り用モータ５１の駆動ギア５２に噛合している。これにより、ステッピングモータ５１が正逆両方向に回転すると、変速ギア４９を介して、プラテンローラ１７が正逆両方向に回転駆動される。上記サーマルヘッド１６とプラテンローラ１７により印字の終了したテープは機外（図の右方）に排出される。
【００４８】
そして、これら諸装置の上方の、本体フレームとの間に裁断駆動機構が配置される。この裁断駆動機構としては、ＤＣモータ（ステッピングモータでもよい）５３が配設され、この駆動軸にウォームギア５４が固設され、このウォームギア５４にウォームホイール５５が噛合する。ウォームホイール５５と一体な小径ギア５６には、減速ギア５７の大径ギアが噛合し、この減速ギア５７の小径ギアに、傘歯車５８と一体の平歯車５９が噛合する。そして、傘歯車５８には他の傘歯車６１が噛合している。これにより、ＤＣモータ５３により駆動される傘歯車５８の横方向（プリンタ本体の平面方向）に沿った回転が、傘歯車６１の縦方向（プリンタ本体の垂直方向）に沿った回転に変換される。
【００４９】
この傘歯車６１にはカッターカム６２が同軸に連結される。カッターカム６２には、同図(b) に示すように（同図(b) は図の左方がプリンタ本体上面、右方がプリンタ本体下面となる）、その円周面に接してマイクロスイッチ６３がプリンタ本体のフレームに配設されている。マイクロスイッチ６３は、カッターカム６２の円周面上の所定の一ヶ所に設けられた凹部により、カッターカム６２の初期位置を検知して、その検知信号を後述する制御回路に出力する。
【００５０】
このカッターカム６２には、上記の初期位置にあるとき最下端となる縁部に、ピン６４が突設される。このピン６４は、テープカッタ２２の可動刃２２ａと一体な回動アーム６５の長孔６６に滑動自在に嵌入し、先端が長孔６６の外で屈折して、長孔６６との係合から逸脱しないように形成されている。カッターカム６２が上述したように、ＤＣモータ５３によって、ウォームギア５４、ウォームホイール５５、小径ギア５６、減速ギア５７、平歯車５９、傘歯車５８、及び傘歯車６１を介して反時計回り方向に回転駆動されると、ピン６４によってテープカッタ２２の回動アーム６５が支点軸６７を支点にして上下に回動し、これにより、可動刃２２ａがカッタ２２の固定刃２２ｂに対して開閉する。これにより、印字済みテープ２６′が自動的に裁断される。
【００５１】
図６は、上記各部の駆動を制御する制御部の構成ブロック図である。同図に示すように、制御部は、ＣＰＵ（中央演算処理装置）からなる制御装置６５を備えている。制御装置６５には、図１に示した表示部１４及びキー入力部１２が接続されており、更に、ＲＯＭ（読み出し専用メモリ）６６、ＲＡＭ（読み書き自在なメモリ）６７、カウンタ６８、イメージリーダ６９、カセット溝検出回路７０、テープ位置検出回路７１、インクリボン検出回路７２、ヘッド駆動回路７３、モータ駆動回路７４、押圧機構駆動回路７５、及びカッタ駆動回路７６が接続されている。
【００５２】
上記のＲＯＭ６６には、テーププリンタ１０の動作を制御するプログラムが格納されている。制御装置６５は、ＲＯＭ６６から読み出した上記プログラムに基づいて各部の動作を制御する。ＲＡＭ６７には、特には図示しないが、画像データ領域、印刷データ領域、フラグ領域、ワーク領域等が設けられており、これら領域に、制御装置６５により所定のデータが一時的に格納されて用いられる。カウンタ６８は、例えば連番号を自動的に発生して印字するときなどに、初期設定の数値を順次インクリメントしながら用いられる。
【００５３】
イメージリーダ６９は、ＣＣＤ（固体撮像素子、光電変換素子）等からなるスキャナで構成され、通常のテーププリンタとして用いられる場合の、レベル印刷用の例えば顔写真等のイメージを、外部から読み込んで作成する場合等に用いられる。カセット溝検出回路７０には、カセット溝センサ７７が接続されている。カセット溝センサ７７は、磁力印字テープ２６を収容したテープカセット２５に形成されているカセット溝３６を検知してその検出信号を出力する。カセット溝検出回路７０は、その検出結果を制御装置６５に通知する。
【００５４】
テープ位置検出回路７１には、図１には図示を省略したが、テープ位置センサ７８が接続されている。テープ位置センサ７８は、例えば印字テープの幅や印刷開始位置マーク等を検知してその検出信号を出力する。テープ位置検出回路７１は、その検出結果を制御装置６５に通知する。
【００５５】
インクリボン検出回路７２には、リボン位置センサ７９が接続されている。リボン位置センサ７９は、フルカラー印刷時におけるインクリボンのマゼンタ、シアン、イエロー等のインク色の印刷開始位置を検知してその検出信号を出力する。インクリボン検出回路７２は、その検出結果を制御装置６５に通知する。
【００５６】
ヘッド駆動回路７３には、サーマルヘッド１６が接続されている。ヘッド駆動回路７３は、制御装置６５からの制御に基づいてサーマルヘッド１６を発熱駆動する。モータ駆動回路７４は、図５(a) に示したテープ送り用モータ５１を駆動するドライバであ。押圧機構駆動回路７５には、モータ又はソレノイド等からなるヘッド押圧機構８１が接続されている。押圧機構駆動回路７５は、ヘッド押圧機構８１を正逆両方向に駆動して、印字時にはサーマルヘッド１６をプラテンローラ１７に圧接する方向へ回動させ、フルカラー印字で三原色を塗り重ねるため印字テープを逆送りするとき又は印字が終了したときにはサーマルヘッド１６をプラテンローラ１７から離隔する方向へ回動させる。
【００５７】
カッタ駆動回路７６は、図５(a)，(b)，(c) に示したＤＣモータ５３を駆動するドライバである。カッタ駆動回路７６は、印字処理の進行に応じ、図５(a)，(b)，(c) に示した駆動伝達機構を介して、印字済みのテープを所定の長さに切断するようテープカッタ２２を開閉駆動する。
【００５８】
図７(a)〜(f)は、上記ＤＣモータ５３によって駆動されるカッターカム６２とテープカッタ２２の可動刃２２ａによるテープ裁断の動作を示す動作状態図である。同図(a) は、図５(b) を簡略な形で再掲したものであり、カッターカム６２が初期位置に在る状態を示している。このカッターカム６２の位置は、マイクロスイッチ６３により検出されることは前述した。つまり、組立時には必ずこの初期位置で、マイクロスイッチ６３がカッターカム６２の凹部に当接するように組み付ける。この状態で、ピン６４は長孔６６のほぼ中間位置に停止しており、これにより、回動アーム６５が水平に停止している。また、これにより可動刃２２ａが固定刃２２ｂに対して最大に開いている。
【００５９】
ＤＣモータ５３が回転を開始すると、カッターカム６２の回転に伴われてピン６４が、図７(a) の矢印Ａ１に示すように反時計回り方向に円移動を開始する。そして、同図(b) の矢印Ａ２及び同図(c) の矢印Ａ３に示すように円移動が進行してピン６４が長孔６６の右端に到達したとき、可動刃２２ａが固定刃２２ｂとによる剪断動作（テープ２６′の裁断）を開始する。
【００６０】
カッターカム６２の継続する回転により、同図(d) の矢印Ａ４に示すように、ピン６４が更に円移動して長孔６６の左方に戻りながら更に回動アーム６５を引き起こし、これにより、可動刃２２ａの反時計回り方向への回動が更に進行して、可動刃２２ａと固定刃２２ｂとが完全に閉じられる。これにより、カッター２２の剪断動作が完了する。このカッター２２による裁断の完了位置は、例えば５０ｍｍの最大幅を有するテープを完全に裁断するための位置である。
【００６１】
更に、カッターカム６２が回転を続け、ピン６４が、同図(e) の矢印Ａ５、及び同図(f) の矢印Ａ６に示すように、円移動を続けることにより、回動アーム６５が押し下げられて下方に回動する。これにより、可動刃２２ａが時計回り方向へ回動を開始して、固定刃２２ｂに対して開き始める。そして、同図(f) から同図(a) の初期状態に戻って可動刃２２ａが固定刃２２ｂに対して全開し、マイクロスイッチ６３により位置を検出されて、その初期位置に停止する。
【００６２】
このように、磁力印字テープに対して、普通紙の場合と同様に特に留意すべき特別な作業手順を踏まなくても、通常に印字を行って、磁力印字テープが搬送路内で周辺部材への付着現象も起さず、また排出口における裁断に際してもテープカッタ２２に付着する不都合もなく、磁力印字テープの印字・切り出し作業が完了する。
【００６３】
このように、所望の文字や画像等の印字された任意の長さの磁力印字テープをテープ印字装置により何等の不都合もなく手軽に作成することができるようになる。
【図面の簡単な説明】
【００６４】
【図１】一実施の形態におけるテーププリンタ（印字装置）をテープカセットと共に示す斜視図である。
【図２】(a) はテープカセットの外観平面図、(b) はテープカセットがテーププリンタのカセット収納部に装着された状態を示す断面図である。
【図３】テープカセットに収容される磁力印字テープ及びテープリール部分を取り出して示す斜視図である。
【図４】本実施の形態としての磁力印字テープを裏面（着磁面）から見た部分図である。
【図５】(a) はテーププリンタの各部を駆動する駆動機構を示す図であり、(b) は側面図、(c) は上面図である。
【図６】テーププリンタの各部の駆動を制御する制御部の構成ブロック図である。
【図７】(a)〜(f)はＤＣモータによって駆動されるカッターカムとカッターの可動刃によるテープ裁断の基本動作を示す動作状態図である。
【図８】従来のテーププリンタの内部構成を模式的に示す図である。
【符号の説明】
【００６５】
１  テーププリンタ
２  テープ状の用紙
３  プラテンロール
４  サーマルヘッド
５  インクリボン
６  供給ロール
７  巻き取りロール
８ａ、８ｂ  カッタ
９  ラベル
１０  テーププリンタ
１１  匡体
１２  キー入力部
１３  操作キー
１４  表示部
１５  テープカセット収納部
１６  サーマルヘッド
１７  プラテンローラ
１８  テープ案内ローラ
１９  テープリール支持ピン
２１  インクリボン巻き取り駆動軸
２２  テープカッタ
２２ａ  可動刃
２２ｂ  固定刃
２３  テープ排出口
２５  テープカセット
２６  磁力印字テープ
２６′  磁力印字テープ印字済み部分
２６  磁力印字テープ
２６−２  磁性体層
２６−２ａ  非着磁領域
２８  インクリボン巻き取りリール孔
３１  テープリール
３２  インクリボンリール
３３  インクリボン
３３′  インクリボン転写済み部分
３４  凹部
３５  インクリボン巻き取りリール
３６  カセット溝
４１  ヘッドアーム
４２  支点軸
４３  長溝穴
４４、４５  引きバネ
４６  テープ巻戻し用ギア
４７  インクリボン巻取り用ギア
４８  プラテンギア
４９  変速ギア
５１  テープ送り用モータ
５２  駆動ギア
５３  ＤＣモータ（又はステッピングモータ）
５４  ウォームギア
５５  ウォームホイール
５６  小径ギア
５７  減速ギア
５８、６１  傘歯車
５９  平歯車
６２  カッターカム
６３  マイクロスイッチ
６５  ＣＰＵ（中央演算処理装置、制御装置）
６６  ＲＯＭ（読み出し専用メモリ）
６７  ＲＡＭ（読み書き自在なメモリ）
６８  カウンタ
６９  イメージリーダ
７０  カセット溝検出回路
７１  テープ位置検出回路
７２  インクリボン検出回路
７３  ヘッド駆動回路
７４  モータ駆動回路
７５  押圧機構駆動回路
７６  カッタ駆動回路
７７  カセット溝センサ
７８  テープ位置センサ
７９  リボン位置センサ
８１  ヘッド押圧機構
【図１】
2006035864.tif 000003
【図２】
2006035864.tif 000004
【図３】
2006035864.tif 000005
【図４】
2006035864.tif 000006
【図５】
2006035864.tif 000007
【図６】
2006035864.tif 000008
【図７】
2006035864.tif 000009
【図８】
2006035864.tif 000010